(57)【要約】【課題】満タン検出器を設けた溢れ球通路ユニットを１つのユニットとして構成し、着脱可能に取り付けることにより、満タン検出器の修理又は交換を容易に行なうことができるパチンコ遊技機を提供する。【解決手段】このパチンコ遊技機には、前面枠１の正面側に発射用の球を供給する上皿３６と、上皿３６で溢れた賞球などを溜める下皿３８とが設けられ、上皿３６で溢れた溢れ球を下皿に送る溢れ球通路４１が設けられる。上皿３６で溢れた溢れ球を下皿３８に送る溢れ球通路４１を含む溢れ球通路ユニット４０が１つのユニットとして構成される。溢れ球通路ユニット４０の溢れ球通路４１近傍に下皿３８の満タンを検出する満タン検出器１７が設けられ、溢れ球通路ユニット４０が着脱可能に取り付けられる。【選択図】図７
2004081335.tif 000002
【特許請求の範囲】
【請求項１】
前面枠の正面側に発射用の球を供給する上皿と、上皿で溢れた賞球などを溜める下皿とが設けられ、該上皿で溢れた溢れ球を該下皿に送る溢れ球通路が設けられたパチンコ遊技機において、
前記上皿で溢れた溢れ球を下皿に送る溢れ球通路を含む溢れ球通路ユニットが１つのユニットとして構成され、該溢れ球通路ユニットの該溢れ球通路近傍に該下皿の満タンを検出する満タン検出器が設けられ、該溢れ球通路ユニットが着脱可能に取り付けられたことを特徴とするパチンコ遊技機。
【請求項２】
前記溢れ球通路ユニットは、本体通路ユニットに対し着脱可能に取り付けられ、該本体通路ユニットには、ファール球を下皿に送るファール球通路、アウト球を遊技機外に排出するアウト球通路、及び前パネルを開いた際の零れ球を下皿に送る零れ球通路が含まれ、該本体通路ユニットが前面枠の下部の内側に取り付けられたことを特徴とする請求項１記載のパチンコ遊技機。
【請求項３】
前記溢れ球通路ユニットには、さらに球抜き時の抜き球を遊技機外に排出する球抜き通路が含まれることを特徴とする請求項１記載のパチンコ遊技機。
【発明の詳細な説明】
【０００１】
【発明の属する技術分野】
本発明は、パチンコ遊技機に関し、特に、上皿で溢れた溢れ球を下皿に送る通路を有する部分を１つのユニットとして構成し、それを着脱可能に取り付けた構造のパチンコ遊技機に関する。
【０００２】
【従来の技術】
パチンコ遊技機には、周知のように、発射用の球を供給する上皿と、上皿で溢れた賞球などを溜める下皿とが設けられ、それらの上皿と下皿に接続して、ファール球を下皿に送る通路、上皿で溢れた溢れ球を下皿に送る通路などが、前面枠内の下部、或いは賞球払出装置の下部などに設けられている。さらにそれに加えて、パチンコ遊技機の前面枠内の下部には、アウト球、球抜き時の抜き球、或いは入賞球などを遊技機外に排出するは排出通路が設けられ、賞球払出装置の下部通路や前面枠内の下部に形成された通路は、非常に複雑な構造となっている。
【０００３】
【発明が解決しようとする課題】
ところで、上皿で溢れた溢れ球を下皿に送る通路は、前面枠の下部に設置され、上皿で溢れた溢れ球を下皿に送るようにしているが、賞球の払出数が多くなり、下皿に溜まった賞球が増加してくると、溢れ球通路内にも賞球が溜まり、これによって、溢れ球通路内の賞球レベルが上昇し、賞球払出通路にも賞球が溜まってくると、賞球の払い出し動作に支障が生じてくる。このために、上皿で溢れた溢れ球を下皿に送る溢れ球通路には、満タンスイッチが配設され、溢れ球通路内に賞球が溜まってくると、満タンスイッチがオンして下皿の満タン状態を検知し、賞球払出装置の動作を一旦停止させるようにしている。
【０００４】
しかし、近年のパチンコ遊技機では、一旦大当りなどが発生すると、大量の賞球が払い出されるため、溢れ球通路が満タン状態となるケースが多く、そのために、満タンスイッチの故障が少なからず発生していた。この満タンスイッチの故障に際しては、満タンスイッチを修理または交換することになるが、従来のパチンコ遊技機では、満タンスイッチを設けた溢れ球通路が、機構板に装着された賞球払出装置の下部に設けられているため、その賞球払出装置を分解して、満タンスイッチの修理又は交換を行なう必要があり、その修理交換に多くの作業工数を必要とする問題があった。
【０００５】
本発明は、上述の課題を解決するものであり、満タン検出器を設けた溢れ球通路ユニットを１つのユニットとして構成し、着脱可能に取り付けることにより、満タン検出器の修理又は交換を容易に行なうことができるパチンコ遊技機を提供することを目的とする。
【０００６】
【課題を解決するための手段】
上記目的を達成するために、本発明のパチンコ遊技機は、前面枠の正面側に発射用の球を供給する上皿と、上皿で溢れた賞球などを溜める下皿とが設けられ、上皿で溢れた溢れ球を下皿に送る溢れ球通路が設けられたパチンコ遊技機において、上皿で溢れた溢れ球を下皿に送る溢れ球通路を含む溢れ球通路ユニットが１つのユニットとして構成され、溢れ球通路ユニットの溢れ球通路近傍に下皿の満タンを検出する満タン検出器が設けられ、溢れ球通路ユニットが着脱可能に取り付けられたことを特徴とする。
【０００７】
ここで、上記溢れ球通路ユニットは、本体通路ユニットに対し着脱可能に取り付けられ、本体通路ユニットには、ファール球を下皿に送るファール球通路、アウト球を遊技機外に排出するアウト球通路、及び前パネルを開いた際の零れ球を下皿に送る零れ球通路が含まれ、本体通路ユニットを前面枠の下部の内側に取り付ける構造とすることができる。また、上記溢れ球通路ユニットには、さらに球抜き時の抜き球を遊技機外に排出する球抜き通路を含む構成とすることができる。
【０００８】
【作用】
上記構成のパチンコ遊技機では、遊技球が入賞口に入賞すると、賞球払出装置が作動し、賞球タンクから誘導レールを通して送られた賞球を計数払出機構の動作によって計数し、入賞球に応じた数の賞球を払い出し、賞球払出通路に送出する。賞球払出通路は上皿に連通接続されており、賞球は上皿に供給される。大当りが発生したときのように、多くの球が入賞し、それに応じて多くの賞球が払い出された場合、上皿が満タンとなって上皿への賞球払出通路が溢れてくると、上皿と下皿間に設けられた溢れ球通路ユニット内の溢れ球通路を通り、下皿に賞球が送られるようになる。
【０００９】
そしてさらに、下皿も満タンとなって、下皿からの溢れ球が溢れ球通路に溢れてきた場合には、溢れ球通路近傍に設けられた満タン検出器が下皿の満タンを検出する。満タン検出器が下皿の満タンを検出すると、賞球払出装置の払出動作が一時停止される。そして、満タン検出器の満タン検出が解消された時点で、賞球払出装置の払出動作が再開される。
【００１０】
このような上皿と下皿間の溢れ球通路に設けられた満タン検出器が故障した場合、満タン検出器を修理或いは交換することになるが、このパチンコ遊技機では、満タン検出器を含む溢れ球通路の部分が、溢れ球通路ユニットつまり１ユニットとして構成されているから、その溢れ球通路ユニットを前面枠の下部内側の本体通路ユニットから簡単に取り外すことができる。したがって、満タン検出器を交換する場合、その検出器を設けた溢れ球通路ユニットごと簡単に交換することができ、故障の生じやすい満タン検出器の修理や交換作業を簡単に行うことができる。また、溢れ球通路を含む溢れ球通路ユニットが１つのユニットとして構成されているから、従来のように溢れ球通路内に部材の継ぎ目が生じることがなく、満タン状態が解消されたときには、球が継ぎ目に当らず、スムーズに溢れ球を下皿に流すことができる。
【００１１】
【発明の実施の形態】
以下、本発明の一実施形態を図面に基づいて説明する。図１はパチンコ遊技機の正面図を示し、図２はそのパチンコ遊技機から遊技盤、液晶表示装置及び制御回路基板を外した状態の背面図を示し、図３はその前面枠から遊技盤及び機構板を外した状態の背面斜視図を示している。
【００１２】
図１において、７はパチンコ機の木枠で、木枠７の前には前面枠１が蝶番を介して開閉可能に装着され、前面枠１の前面にはガラス扉８を開閉可能に設けた金枠が取り付けられ、前面枠１の内側に遊技盤９が着脱可能に取り付けられている。
【００１３】
ガラス扉８の下側に、前パネル３７が発射レールや打球杆を覆うように開閉可能に装着され、前パネル３７の前面には打球供給用の上皿３６が設けられる。更に、前面枠１の下部に、打球発射装置の一部を構成する打球発射ハンドル３９が設けられると共に、上皿３６で貯留できなくなり溢れた賞球を貯留する下皿３８が設けられる。遊技盤９の前面には、遊技領域９ａが外レールと内レールによって区画されて形成され、打球発射装置によって発射された遊技球を遊技領域９ａ内に導き、下方に落下させる。
【００１４】
遊技盤９の遊技領域９ａ内の中央に、図柄変動表示装置３０が配置される。図柄変動表示装置３０には、フルカラーの液晶ディスプレイが設けられ、各種の図柄や動画が表示され、例えば３行３列の図柄を上から下に流れるように変動表示される。また、遊技領域９ａには、中間部の両側に通常入賞口３３が配設され、その下に通過ゲート５１が配設され、図柄変動表示装置３０の下部にはチューリップ式の始動入賞口３２が配設される。
【００１５】
始動入賞口３２の下方には可変入賞装置３１の大入賞口が設けられ、大入賞口には開閉部材３１ａが開閉可能に設けられている。始動入賞口３２に遊技球が入って入賞すると、図柄変動表示装置３０の図柄が変動表示を開始し、その変動表示が予め決められた所定の図柄に揃って停止したとき、大当りとなって、可変入賞装置３１の大入賞口の開閉部材３１ａが所定時間、所定回数だけ開き、多くの遊技球を入賞させる。
【００１６】
図柄変動表示装置３０の上部に、保留球記憶表示装置３４と普通図柄表示装置３５が配設される。保留球記憶表示装置３４は、図柄変動表示装置３０の変動表示中に始動入賞口３２に入賞した球を、所定数だけ保留球として記憶・表示する。普通図柄表示装置３５は、通過ゲート５１を球が通過したとき、例えば１桁の数字の表示器に４，５，６，７の数値を高速で順に循環表示し、数秒後に数値を停止表示する。その停止図柄が予め決められた例えば「７」であった場合、始動入賞口３２のチューリップを数秒間開き、遊技球の始動入賞口への入賞をしやすくする。
【００１７】
一方、図２の背面図に示すように、遊技盤９の背面側に装着した機構板２には賞球払出装置３が設けられる。賞球払出装置３の上部には払出用の賞球を貯留する賞球タンク４が設けられ、賞球タンク４の下側には、賞球タンク４から送出される賞球を下方に誘導する誘導レール５が接続される。誘導レール５の下端には、賞球の払出数を計数し、計数した賞球を払い出す計数払出機構６が配設される。計数払出機構６は、上方の誘導レール５に連通する球通路に、ロータを賞球払出モータにより回転駆動可能に配設すると共に、賞球の通過を検出する球検出器を設けて構成される。
【００１８】
計数払出機構６の球通路は、例えば前後２列に形成され、両方の球通路内に回転位置を１８０度ずらした２個のロータが配設され、賞球払出モータの軸に軸着される。各ロータはその半回転時に１個の賞球を送る得る形状に形成され、モータの回転駆動により、指令された数の賞球を下方に払い出すことができる。ロータの停止時には賞球の送出は停止する。計数払出機構６を通過する賞球の通過数は、賞球を磁気的或は光学的に検出する球検出器から出力される検出信号を図示しないカウンタで計数することによりカウントされる。計数払出機構６には払出通路と球抜き通路が分岐して設けられ、その分岐箇所にレバー状の排出球抜き切替弁が手動で切替操作可能に設けられる。
【００１９】
賞球払出装置３における計数払出機構６の下側には払出通路部１０が設けられる。この払出通路部１０内には払出通路１１が形成されると共に、球抜き通路１２が形成され、払い出された賞球と球抜きされた球を分けて下方に送る。払出通路１１は上記計数払出機構６の払出通路に連通接続され、球抜き通路１２は計数払出機構６の球抜き通路に連通接続される。払出通路部１０の払出通路１１内には、賞球の貯留部を介して上皿３６と連通する払出連通路１３が前面枠の厚さ方向に設けられ、払い出された賞球は払出通路１１から払出連通路１３を通り上皿３６に送られる。また、払出通路部１０の底部には、払出通路１１の貯留部に連通する開口部が形成され、さらに、球抜き通路１２に連通する開口部も形成される。賞球が上皿３６で溢れた場合、排出通路１１の貯留部を経てその底面開口部から下方に送られる。
【００２０】
払出通路部１０の下側には、本体通路ユニット２０及び溢れ球通路ユニット４０が前面枠１の下部に固定されて配置される。その溢れ球通路ユニット４０の溢れ球通路４１の上部に、払出通路１１の開口部が連通接続され、球抜き通路１２の開口部が溢れ球通路ユニット４０の球抜き通路４２に連通接続される。上皿３６から貯留部で溢れた賞球は、その溢れ球通路４１を通り下皿３８に送られる構造である。
【００２１】
本体通路ユニット２０は、図８に示すように、合成樹脂により所定の形状に成形された通路部材２６と通路部材２７を嵌合し、通路部材２７の前面に、上記溢れ球通路ユニット４０を組み付けるための組付部材２８を固定して構成される。通路部材２６と通路部材２７を組み付けた本体通路ユニット２０の内部には、ファール球を下皿に送るファール球通路２１、前パネルを開いた際の零れ球を下皿に送る零れ球通路２２、上皿の球抜き時の球を下皿に送る上皿球抜き通路２３、及びアウト球を遊技機外に排出するアウト球通路２４が形成されている（図５、図８）。
【００２２】
このように、通路部材２６に通路部材２７を嵌着しその前面に組付部材２８を組み付けてなる本体通路ユニット２０は、前面枠１の下部内側に、固定ねじにより締め付け固定され、その背面側の下部に位置する下皿連通口２５は下皿３８に連通接続される。
【００２３】
また、図６のように、本体通路ユニット２０の前面に組付部材２８を介して嵌着され組み付けられる溢れ球通路ユニット４０には、上皿３６で溢れた溢れ球を下皿３８に送る溢れ球通路４１、及び球抜き時の抜き球を遊技機外に排出する球抜き通路４２が設けられている。また、本体通路ユニット２０の下部には、溢れ球通路ユニット４０の溢れ球通路４１から送られる溢れ球をその背面の下皿連通口２５に導入するための溢れ球連通口２９が設けられ、溢れ球通路４１の下端部が溢れ球連通口２９に連通接続される（図７）。
【００２４】
本体通路ユニット２０のファール球通路２１の上端は、図７のように、ファール球用開口部２１ａとしてその上部に開口し、零れ球通路２２の上端は、零れ球用開口部２２ａとしてその上部に開口している。また、図５、図６のように、これらのファール球通路２１と零れ球通路２２の下端は、本体通路ユニット２０の背面側の下皿連通口２５に接続されている。
【００２５】
一方、本体通路ユニット２０の通路部材２７の左前面側に、アウト球通路２４が形成され、このアウト球通路２４の上部は、アウト球用開口部２４ａとして開口し、遊技盤の下部に設けた図示しないアウト球口に連通接続される。また、このアウト球通路２４の下部は、その前面に組み付けられる溢れ球通路ユニット４０の底部に設けたアウト球排出口４３に連通する（図６）。
【００２６】
溢れ球通路ユニット４０は、図９に示すように、通路部材４８と通路部材４９を嵌め合わせ、固定ねじにより締め付け固定して構成され、その内部に上記のような溢れ球通路４１と球抜き通路４２が形成される。溢れ球通路ユニット４０の底面には、本体通路ユニット２０のアウト球通路２４に繋がるアウト球排出口４３が設けられ、さらに、球抜き通路４２に連通する球抜き排出口４４が設けられる（図６、図９）。
【００２７】
また、その溢れ球通路４１内には、図９、図１０に示すように、揺動部材１５が球によって揺動可能に軸支され、満タン検出器（マイクロスイッチ）１７がその近傍に、揺動部材１５の揺動によりスイッチングするように取り付けられる。この満タン検出器１７は、検出器取付体１６によって、溢れ球通路４１に隣接した位置に取り付けられる。また、溢れ球通路ユニット４０の前面には、中継端子を設けた中継基板１８が基板保護カバー１９を介して固定ねじにより締め付け固定される。
【００２８】
このように、本体通路ユニット２０と溢れ球通路ユニット４０は、各々が１つのユニットとして構成され、上記のように本体通路ユニット２０は前面枠１の内側下部に固定される。溢れ球通路ユニット４０には、図７に示すように、その背面側に係止部４５が設けられ、その下部の両側に係止部４６が設けられる。一方、本体通路ユニット２０の通路部材２７の正面側に、その係止部４５が係止可能な係止部２８ａを有する組付部材２８が固定され、本体通路ユニット２０の通路部材２７の正面側下部の両側に、上記係止部４６が係止可能な係止部２７ａが設けられる。
【００２９】
したがって、図７に示すように、１ユニットとしてユニット化された溢れ球通路ユニット４０は、その背面の係止部４５を本体通路ユニット２０の組付部材２８の係止部２８ａに、上方から差し込んで係止させると共に、その下部両側の係止部４６を本体通路ユニット２０の通路部材２７の下部両側の係止部２７ａに、上から差し込んで係止させることにより、本体通路ユニット２０の正面（遊技機の背面から見て正面側）に、着脱可能に組み付けられる。
【００３０】
このような構成のパチンコ遊技機では、遊技球が通常入賞口３３などに入賞すると、賞球払出装置３の計数払出機構６が作動し、賞球タンク４から誘導レール５を通して送られた賞球を計数払出機構６の払出モータと検出器の動作によって計数し、入賞球に応じた数の賞球を払い出し、払出通路１１に送出する。
【００３１】
払出通路１１は払出連通路１３を通して上皿３６に連通接続されており、賞球は払出通路１１から払出連通路１３を通り上皿３６に供給される。大当りが発生した時のように、多くの球が入賞し、それに応じて多くの賞球が払い出された場合、上皿３６が満タンとなって、上皿３６への払出連通路１３及び払出通路１１に溢れてくる。
【００３２】
このような状態になると、賞球払出装置３の下部の払出通路１１の下側に接続された溢れ球通路ユニット４０の溢れ球通路４１内にも、賞球が送られる状態となり、賞球は溢れ球通路４１から本体通路ユニット２０の溢れ球連通口２９と下皿連通口２５を通り、下皿３８に賞球が送られるようになる。
【００３３】
そしてさらに、下皿３８も満タンとなって、下皿３８からの溢れ球が溢れ球通路４１に溢れてきた場合には、図１０に示すように、溢れ球通路４１内に設けられた揺動部材１５が球に押されて内側に揺動し、揺動部材１５が満タン検出器１７を押して下皿３８の満タンを検出する。満タン検出器１７が下皿３８の満タンを検出すると、賞球払出装置３の計数払出機構６の払出動作が一時停止される。そして、満タン検出器１７の満タン検出が解消された時点で、賞球払出装置３の計数払出機構６の払出動作が再開される。
【００３４】
一方、このような溢れ球通路４１内の満タン検出が頻繁に行なわれて、満タン検出器１７が故障した場合には、満タン検出器１７を修理或いは交換することになるが、この場合には、パチンコ遊技機の前面枠１を開き、その背面側の機構板２を開き、その状態で、図３のように前面枠１の下部に露出した本体通路ユニット２０の前面から、溢れ球通路ユニット４０を取り外して行なう。
【００３５】
すなわち、溢れ球通路ユニット４０は、図７のように、その背面の係止部４５を本体通路ユニット２０の組付部材２８の係止部２８ａに上方から差し込んで係止させると共に、その下部両側の係止部４６を本体通路ユニット２０の通路部材２７の下部両側の係止部２７ａに、上から差し込んで係止させ、本体通路ユニット２０の正面に組み付けられているから、係止部２８ａを押し広げながら溢れ球通路ユニット４０を本体通路ユニット２０に対し持ち上げれば、係止部４５が係止部２８ａから外れ、下部の係止部４６が係止部２７ａから外れて、溢れ球通路ユニット４０を取り外すことができる。
【００３６】
したがって、満タン検出器１７が故障した際、それを修理或いは交換する場合、満タン検出器１７を設けた溢れ球通路ユニット４０ごと簡単に交換することができ、故障の生じやすい満タン検出器の修理や交換作業を簡単に行うことができる。
【００３７】
【発明の効果】
以上説明したように、本発明のパチンコ遊技機によれば、上皿で溢れた溢れ球を下皿に送る溢れ球通路を含む溢れ球通路ユニットが１つのユニットとして構成され、溢れ球通路ユニットの溢れ球通路近傍に下皿の満タンを検出する満タン検出器が設けられ、溢れ球通路ユニットを前面枠の内側に着脱可能に取り付けるように構成したから、満タン検出器が故障した場合、溢れ球通路ユニットを簡単に取り外し、満タン検出器の修理又は交換を容易に行なうことができる。また、溢れ球通路を含む溢れ球通路ユニットが１つのユニットとして構成されているから、従来のように溢れ球通路内に部材の継ぎ目が生じることがなく、満タン状態が解消されたときには、球が継ぎ目に当らず、スムーズに溢れ球を下皿に流すことができる。
【図面の簡単な説明】
【図１】本発明の一実施形態を示すパチンコ遊技機の正面図である。
【図２】遊技盤、液晶表示装置及び制御回路基板を外した状態のパチンコ遊技機の背面図である。
【図３】前面枠から遊技盤及び機構板を外した状態のパチンコ遊技機の背面斜視図である。
【図４】溢れ球通路ユニット４０を備えた本体通路ユニット２０の斜視図である。
【図５】本体通路ユニット２０の背面図である。
【図６】同本体通路ユニット２０の底面図である。
【図７】溢れ球通路ユニット４０を備えた本体通路ユニット２０の組付け斜視図である。
【図８】本体通路ユニット２０の分解斜視図である。
【図９】溢れ球通路ユニット４０の分解斜視図である。
【図１０】溢れ球通路４１と満タン検出器１７の動作を示す説明図である。
【符号の説明】
１０−払出通路部
１１−払出通路
１２−球抜き通路
１３−払出連通路
１７−満タン検出器
２０−本体通路ユニット
２１−ファール球通路
２２−零れ球通路
２３−上皿球抜き通路
２４−アウト球通路
４０−溢れ球通路ユニット
４１−溢れ球通路
４２−球抜き通路
【図１】
2004081335.tif 000003
【図２】
2004081335.tif 000004
【図３】
2004081335.tif 000005
【図４】
2004081335.tif 000006
【図５】
2004081335.tif 000007
【図６】
2004081335.tif 000008
【図７】
2004081335.tif 000009
【図８】
2004081335.tif 000010
【図９】
2004081335.tif 000011
【図１０】
2004081335.tif 000012